(57)【特許請求の範囲】
【請求項１】
吸気通路を流通する吸気を冷却するインタークーラと、
排気通路と前記インタークーラよりも上流側の前記吸気通路とを連通するＥＧＲ通路と、
前記ＥＧＲ通路の連通を開閉するＥＧＲ弁と、
前記インタークーラで生成された凝縮水を貯留する凝縮水貯留部と、
エンジンの運転状態が所定の低負荷運転領域内にあるか否かを判定する判定部と、
前記エンジンの運転状態が前記所定の低負荷運転領域内にあると判定された際に前記ＥＧＲ弁を全閉とする制御部と、を備え、
前記判定部は、吸気温度が所定温度よりも高い場合には前記エンジンの負荷が所定負荷値以下の領域を前記所定の低負荷運転領域に設定し、前記吸気温度が前記所定温度以下の場合には前記エンジンの回転数が高いほど前記所定負荷値が増大するように前記所定の低負荷運転領域を拡大する
ことを特徴とする、エンジンの制御装置。
【請求項２】
前記判定部は、前記吸気温度が前記所定温度以下では、前記吸気温度が前記所定温度よりも低いほど前記所定の低負荷運転領域を高負荷側へとさらに拡大する
ことを特徴とする、請求項１記載のエンジンの制御装置。
【請求項３】
前記制御部は、外気温度が所定の第一外気温度以下であれば、前記ＥＧＲ弁を全閉とする
ことを特徴とする、請求項１又は２記載のエンジンの制御装置。
【請求項４】
前記制御部は、
外気温度が所定の第一外気温度以下かつ前記第一外気温度よりも低い第二外気温度以上であって、前記凝縮水貯留部における凝縮水の貯留量が、前記外気温度が前記第二外気温度に近いほど小さく設定された第一判定値以上の場合に、前記ＥＧＲ弁を全閉とし、
前記外気温度が前記第二外気温度未満の場合にも前記ＥＧＲ弁を全閉とする
ことを特徴とする、請求項１又は２記載のエンジンの制御装置。
【請求項５】
前記制御部は、
前記吸気温度が前記所定温度よりも低い第一吸気温度未満の場合に、前記ＥＧＲ弁を全閉とし、
前記吸気温度が前記第一吸気温度以上の場合に、前記凝縮水貯留部における凝縮水の貯留量が、前記吸気温度が前記第一吸気温度よりも高いほど大きく設定された第二判定値以上であれば、前記ＥＧＲ弁を全閉とする
ことを特徴とする、請求項１〜４の何れか１項に記載のエンジンの制御装置。
【発明の詳細な説明】
【技術分野】
【０００１】
本発明は、インタークーラよりも上流側の吸気通路へ排気を還流させるＥＧＲ通路を備えたエンジンの制御装置に関する。
【背景技術】
【０００２】
従来、排気中における窒素酸化物（以下、ＮＯｘという）の生成量を低減させる技術の一つとして、ＥＧＲ（Exhaust Gas Recirculation）システムが実用化されている。ＥＧＲシステムは、排気通路と吸気通路とを接続するＥＧＲ通路を介して排気を吸気通路に還流させて、新気とともに再び燃焼室に流入させることで、燃料の燃焼温度或いは燃焼室内の酸素濃度を低下させ、ＮＯｘの生成量を低減して排ガス性能を高めるものである。過給機を備えたエンジンの場合、高圧ＥＧＲシステム及び低圧ＥＧＲシステムを共に備えたデュアルＥＧＲシステムが装備されることがある。
【０００３】
また、エンジンの吸気通路に吸気冷却用のインタークーラを装備し、インタークーラによって吸気を冷却することで充填効率を高めて、エンジンの出力を向上させることが行われている。しかし、インタークーラで吸気が冷却されると、吸気に含まれる水蒸気が凝縮して水（以下、凝縮水という）が生成される。この凝縮水が吸気と共に筒内へ導入されてしまうと、燃焼安定性の低下や、センサ及びエンジンの耐久信頼性の低下等を招くことになる。そのため、従来、インタークーラで生成された凝縮水を吸気から分離して排出するための構造が提案されている（例えば特許文献１参照）。
【先行技術文献】
【特許文献】
【０００４】
【特許文献１】特開２０１３−１２４５６３号公報
【発明の概要】
【発明が解決しようとする課題】
【０００５】
ところで、インタークーラで生成される凝縮水の量は、吸気に含まれる水蒸気量が多いほど多くなる。また、排気には燃焼により生じた水蒸気が含まれており、その量は新気と比較して多い。そのため、インタークーラよりも上流側の吸気通路に排気が導入され、排気と新気との混合気（吸気）がインタークーラにおいて冷却されると、新気のみの吸気を冷却する場合と比べて多くの凝縮水が生成される。ここで生成された凝縮水は、インタークーラの下流側で吸気から分離されてタンクに貯留される。
【０００６】
しかしながら、インタークーラで生成される凝縮水の量が、吸気から凝縮水を分離，除去する装置の能力やタンクの容量を超えるほど多い場合、凝縮水の一部が筒内へ導入されてしまう可能性がある。また、気温が氷点下の環境では、タンクに溜まった凝縮水を排出する通路内で凝縮水が凍結する可能性があり、吸気から凝縮水を分離できたとしても、適切に排出されないおそれがある。
【０００７】
本件は、このような課題に鑑み案出されたもので、インタークーラよりも上流側の吸気通路へ排気を還流させるＥＧＲ通路を備えたエンジンの制御装置に関し、凝縮水の生成を効果的に抑制することを目的の一つとする。なお、この目的に限らず、後述する発明を実施するための形態に示す各構成により導かれる作用効果であって、従来の技術によっては得られない作用効果を奏することも本件の他の目的として位置づけることができる。
【課題を解決するための手段】
【０００８】
（１）ここで開示するエンジンの制御装置は、吸気通路を流通する吸気を冷却するインタークーラと、排気通路と前記インタークーラよりも上流側の前記吸気通路とを連通するＥＧＲ通路と、前記ＥＧＲ通路の連通を開閉するＥＧＲ弁と、前記インタークーラで生成された凝縮水を貯留する凝縮水貯留部と、を備える。また、このエンジンの制御装置は、エンジンの運転状態が所定の低負荷運転領域内にあるか否かを判定する判定部と、前記エンジンの運転状態が前記所定の低負荷運転領域内にあると判定された際に前記ＥＧＲ弁を全閉とする制御部と、を備える。前記判定部は、吸気温度が所定温度よりも高い場合には前記エンジンの負荷が所定負荷値以下の領域を前記所定の低負荷運転領域に設定し、前記吸気温度が前記所定温度以下の場合には前記エンジンの回転数が高いほど前記所定負荷値が増大するように前記所定の低負荷運転領域を拡大する。
【０００９】
（２）前記判定部は、前記吸気温度が前記所定温度以下では、前記吸気温度が前記所定温度よりも低いほど前記所定の低負荷運転領域を高負荷側へとさらに拡大することが好ましい。
（３）前記制御部は、外気温度が所定の第一外気温度以下であれば、前記ＥＧＲ弁を全閉とすることが好ましい。
【００１０】
（４）前記制御部は、外気温度が所定の第一外気温度以下かつ前記第一外気温度よりも低い第二外気温度以上であって、前記凝縮水貯留部における凝縮水の貯留量が、前記外気温度が前記第二外気温度に近いほど小さく設定された第一判定値以上の場合に、前記ＥＧＲ弁を全閉とし、前記外気温度が前記第二外気温度未満の場合にも前記ＥＧＲ弁を全閉とすることが好ましい。
【００１１】
（５）前記制御部は、前記吸気温度が前記所定温度よりも低い第一吸気温度未満の場合に、前記ＥＧＲ弁を全閉とし、前記吸気温度が前記第一吸気温度以上の場合に、前記凝縮水貯留部における凝縮水の貯留量が、前記吸気温度が前記第一吸気温度よりも高いほど大きく設定された第二判定値以上であれば、前記ＥＧＲ弁を全閉とすることが好ましい。
【発明の効果】
【００１２】
開示のエンジンの制御装置では、ＥＧＲ弁を適切に全閉とすることができ、吸気通路へ還流する排気を適切に遮断することができるため、凝縮水の生成を効果的に抑制することができる。
【図面の簡単な説明】
【００１３】
【図１】実施形態に係るエンジン及び制御装置を示す模式図である。
【図２】図１の制御装置で用いられる運転マップの一例であり、（ａ）は通常時の禁止領域が設定されたもの、（ｂ）は低温時の禁止領域が設定されたものである。
【図３】図１の制御装置で用いられる外気温マップの一例である。
【図４】図１の制御装置で用いられる吸気温マップの一例である。
【図５】図１の制御装置による禁止判定の手順を示すフローチャート例である。
【発明を実施するための形態】
【００１４】
図面を参照して、実施形態としてのエンジンの制御装置について説明する。以下に示す実施形態はあくまでも例示に過ぎず、以下の実施形態で明示しない種々の変形や技術の適用を排除する意図はない。本実施形態の各構成は、それらの趣旨を逸脱しない範囲で種々変形して実施することができるとともに、必要に応じて取捨選択することができ、あるいは適宜組み合わせることが可能である。
【００１５】
［１．装置構成］
本実施形態の制御装置は、車両に搭載されたディーゼルエンジン１０（以下、エンジン１０という）に適用される。図１には、エンジン１０に設けられる複数のシリンダ１１のうちの一つを示すが、他のシリンダ１１も同様の構成である。シリンダ１１内にはピストン１２が摺動自在に内装され、ピストン１２の往復運動がコネクティングロッドを介してクランクシャフト１３の回転運動に変換される。
【００１６】
シリンダ１１の上部のシリンダヘッドには、燃料噴射用のインジェクタ１４がその先端を燃焼室側に突出させた状態で設けられる。燃焼室内には、インジェクタ１４から高圧の燃料が直接噴射される。シリンダヘッドには、吸気ポート１５及び排気ポート１６が設けられ、これらの各ポート１５，１６を開閉するための吸気弁１７及び排気弁１８が設けられる。
【００１７】
吸気ポート１５の上流側にはインテークマニホールド１９（以下、インマニ１９という）が設けられる。このインマニ１９には吸気ポート１５側へと流れる空気を一時的に溜めるためのサージタンク２０が設けられる。インマニ１９の上流端には吸気通路２１が接続される。吸気通路２１の最も上流側にはエアフィルタ２２が介装され、エアフィルタ２２で濾過された新気が吸気通路２１に導入される。
【００１８】
一方、排気ポート１６の下流側にはエキゾーストマニホールド３０（以下、エキマニ３０という）が設けられる。このエキマニ３０の下流端には排気通路３１が接続され、排気通路３１には排気浄化装置３２が介装される。排気浄化装置３２は、触媒３２Ａとフィルタ３２Ｂとが内蔵されて構成される。触媒３２Ａは、排気中に含まれる炭化水素（ＨＣ）成分や一酸化炭素（ＣＯ），窒素酸化物（ＮＯｘ）等を浄化する機能を持ち、例えば酸化触媒や三元触媒である。一方、フィルタ３２Ｂは、排気中に含まれる粒子状物質を捕集する多孔質フィルタである。
【００１９】
また、このエンジン１０の吸排気系には、排気圧を利用してシリンダ１１内に吸気を過給するターボチャージャ２５が設けられる。ターボチャージャ２５は、吸気通路２１と排気通路３１との両方にまたがって介装された過給機である。ターボチャージャ２５は、排気通路３１内の排気圧でタービンを回転させ、その回転力を利用してコンプレッサを駆動することにより、吸気通路２１側の吸気を圧縮してエンジン１０への過給を行う。上記の排気浄化装置３２は、ターボチャージャ２５のタービンよりも下流側の排気通路３１に設けられる。
【００２０】
コンプレッサよりも下流側の吸気通路２１には、吸気を冷却するインタークーラ２６が設けられる。インタークーラ２６は、例えば空冷式又は水冷式の熱交換器である。インタークーラ２６よりも下流側の吸気通路２１には、インタークーラ２６で生成された凝縮水を吸気から分離する分離装置２７が設けられる。分離装置２７には、吸気から凝縮水を分離するセパレータ２７Ａと、分離した凝縮水を貯留するタンク２７Ｂ（凝縮水貯留部）と、タンク２７Ｂに溜まった凝縮水を排出するための排出通路２７Ｃと、排出通路２７Ｃに介装されたバルブ２７Ｄとが含まれる。なお、分離装置２７は従来の構成と同様であり、詳細な説明は省略する。
【００２１】
本実施形態に係るエンジン１０には、排気通路３１を流通する排気を吸気通路２１へ還流させる低圧ＥＧＲ（Exhaust Gas Recirculation）通路３３と高圧ＥＧＲ通路３５とが設けられる。低圧ＥＧＲ通路３３は、排気浄化装置３２の下流側の排気通路３１とターボチャージャ２５のコンプレッサよりも上流側の吸気通路２１とを接続する。すなわち、低圧ＥＧＲ通路３３は、インタークーラ２６よりも上流側の吸気通路２１に接続される。
【００２２】
吸気通路２１と低圧ＥＧＲ通路３３との接続部には低圧ＥＧＲ弁２４が設けられ、低圧ＥＧＲ弁２４とエアフィルタ２２との間の吸気通路２１には低圧スロットル弁２３が設けられる。低圧ＥＧＲ通路３３を流通する排気は、低圧ＥＧＲ通路３３の上流端（排気通路３１）及び下流端（吸気通路２１）の圧力差によって吸気通路２１に導入される。この圧力差は、ターボチャージャ２５により吸気が過給されているときや低圧スロットル弁２３の開度が絞られているときに発生する。また、吸気通路２１に導入される排気の量（低圧還流ガス量）は低圧ＥＧＲ弁２４の開度に応じて調節される。この低圧還流ガス量は、低圧ＥＧＲ弁２４の開度が大きいほど増加し、開度がゼロ（閉弁）のときにゼロとなる。低圧スロットル弁２３及び低圧ＥＧＲ弁２４の各開度は、後述の制御装置１で制御される。なお、低圧ＥＧＲ通路３３には、低圧還流ガスを冷却するＥＧＲクーラ３４が介装される。
【００２３】
高圧ＥＧＲ通路３５は、ターボチャージャ２５のタービンよりも上流側の排気通路３１とコンプレッサよりも下流側の吸気通路２１とを接続する。吸気通路２１と高圧ＥＧＲ通路３５との接続部には高圧ＥＧＲ弁２９が設けられ、高圧ＥＧＲ弁２９と分離装置２７との間の吸気通路２１には高圧スロットル弁２８が設けられる。高圧ＥＧＲ通路３５を流通する排気は、高圧ＥＧＲ通路３５の上流端及び下流端の圧力差によって吸気通路２１に導入される。この圧力差は、ターボチャージャ２５により吸気が過給されていないときや高圧スロットル弁２３の開度が絞られているときに発生する。また、吸気通路２１に導入される排気の量（高圧還流ガス量）は高圧ＥＧＲ弁２９の開度に応じて調節される。高圧スロットル弁２８及び高圧ＥＧＲ弁２９の各開度も、制御装置１で制御される。なお、高圧ＥＧＲ通路３５にも、高圧還流ガスを冷却するＥＧＲクーラ３６が介装される。
【００２４】
したがって、エンジン１０の吸気ポート１５には、新気と低圧ＥＧＲ通路３３から流入する排気（低圧還流ガス）と高圧ＥＧＲ通路３５から流入する排気（高圧還流ガス）とが混合された吸気（混合気）が導入される。このように吸気中に低圧還流ガスや高圧還流ガスが混合されることで、過度の排気温度上昇やＮＯｘの排出量が抑制される。
【００２５】
エンジン１０のクランクシャフト１３の近傍には、エンジン１０の回転数Neを検出する回転数センサ３７が設けられる。インマニ１９のサージタンク２０には、シリンダ１１内に導入される吸気の温度（低圧還流ガス及び高圧還流ガスを含むインマニ１９における吸気の温度、以下、吸気温度Tiという）を検出する吸気温センサ３８が設けられる。また、分離装置２７には、タンク２７Ｂに溜まった凝縮水の貯留量Sを検出する検出部３９が設けられる。検出部３９は、例えば浮き型式の水位計のような簡易的なものであってもよいし、精度良く貯留量Sを検出可能なセンサであってもよい。なお、エンジン１０には、吸気の圧力を検出する圧力センサ，吸気の流量を検出するエアフローセンサ，吸気や排気の空燃比を検出する空燃比センサ等（何れも図示略）も設けられる。
【００２６】
エンジン１０が搭載される車両には、外気温度Taを検出する外気温センサ４０と、ドライバによるアクセルペダルの踏み込み量（アクセル開度AP）を検出するアクセル開度センサ４１とが設けられる。アクセル開度APは、ドライバの加速要求や発進意思に対応するパラメータであり、言い換えるとエンジン１０の負荷Pe（トルク，エンジン１０に対する出力要求）に相関するパラメータである。これらの各センサ３７〜４１等で検出された各情報は、制御装置１へ伝達される。
【００２７】
車両には、例えばマイクロプロセッサやＲＯＭ，ＲＡＭ等を集積したＬＳＩデバイスや組み込み電子デバイスとして構成された制御装置１（Engine Electronic Control Unit）が設けられる。この制御装置１は、エンジン１０に関する点火系，燃料系及び吸排気系といった広汎なシステムを制御する電子制御装置である。制御装置１の具体的な制御対象としては、インジェクタ１４から噴射される燃料量や噴射時期，低圧ＥＧＲ弁２４，高圧ＥＧＲ弁２９，低圧スロットル弁２３及び高圧スロットル弁２８の各開度等が挙げられる。
【００２８】
［２．制御構成］
本実施形態では、低圧ＥＧＲ通路３３を通じて吸気通路２１へ排気を導入するための制御（以下、低圧ＥＧＲ制御という）を禁止するか否かを判定する禁止判定について詳述する。低圧ＥＧＲ制御では、低圧ＥＧＲ通路３３から吸気通路２１へ導入する排気（低圧還流ガス）の量を制御するために、低圧スロットル弁２３及び低圧ＥＧＲ弁２４の各開度を制御する。禁止判定とは、このような低圧ＥＧＲ制御の実施を禁止するか或いは許可するかという判定である。なお、低圧ＥＧＲ制御の実施を許可する（禁止しない）と判定された場合に限り、低圧ＥＧＲ制御を実施するか否かについての判定が行われる。
【００２９】
低圧還流ガスには、燃焼により生じた水蒸気が含まれており、その量は新気と比較して多い。そのため、低圧還流ガスを含む吸気がインタークーラ２６において冷却されると、新気のみの吸気を冷却する場合と比べて多くの凝縮水が生成される。凝縮水は、分離装置２７によって吸気から分離，除去されるが、分離装置２７の能力を超えるような多量の凝縮水が生成された場合、凝縮水の一部がシリンダ１１内へ導入されてしまう可能性がある。また、外気温が氷点下の場合には凝縮水が排出通路２７Ｃ等において凍結する可能性があり、セパレータ２７Ａで分離されたとしても適切に排出されないおそれがある。
【００３０】
そこで、本実施形態の制御装置１は、上記の禁止判定を実施することで、多量の凝縮水の生成や凝縮水の凍結が懸念される場合には低圧還流ガスが吸気に含まれないようにし、凝縮水の生成自体を抑制する。そして、禁止判定を実施した上で低圧ＥＧＲ制御を実施することで、適切に低圧還流ガスを吸気通路２１へ導入する。
【００３１】
制御装置１は、このような禁止判定及び低圧ＥＧＲ制御を実施するための機能要素として、判定部２及び制御部３を備える。これらの各要素は電子回路（ハードウェア）によって実現してもよく、ソフトウェアとしてプログラミングされたものとしてもよいし、あるいはこれらの機能のうちの一部をハードウェアとして設け、他部をソフトウェアとしたものであってもよい。
【００３２】
判定部２は、上記の禁止判定を行うものである。本実施形態の判定部２は、三つの禁止判定を行い、何れか一つの禁止判定で低圧ＥＧＲ制御を禁止すると判定した場合に「低圧ＥＧＲ制御を禁止する」という判定結果を出し、全ての禁止判定で低圧ＥＧＲ制御を禁止しないと判定した場合に「低圧ＥＧＲ制御を許可する」という判定結果を出す。例えば、第一の禁止判定で低圧ＥＧＲ制御を禁止すると判定した場合には、第二，第三の禁止判定を行うことなく、「低圧ＥＧＲ制御を禁止する」という判定結果を出す。ここで、「低圧ＥＧＲ制御を禁止する」とは、低圧ＥＧＲ弁２４を全閉にすることを意味する。
【００３３】
第一の禁止判定は、エンジン１０の運転状態（運転領域，具体的にはエンジン１０の回転数Ne及び負荷Pe）を用いた判定である。判定部２は、エンジン１０の運転状態が所定の低負荷運転領域内であるか否かを判定し、所定の低負荷運転領域内であれば低圧ＥＧＲ制御を禁止する（低圧ＥＧＲ弁２４を全閉とする）と判定し、所定の低負荷運転領域外であれば低圧ＥＧＲ制御を禁止しないと判定する。この所定の低負荷運転領域は、ある一定の（固定された）領域ではなく、吸気温度Tiに応じて変化しうる領域であり、以下「禁止領域」と呼ぶ。
【００３４】
本実施形態の判定部２は、図２（ａ）及び（ｂ）に例示する運転マップを用いて第一の禁止判定を行う。これらのマップは、横軸に回転数Ne，縦軸に負荷Peをとったものであり、マップ中にハッチを付けた部分が禁止領域，ハッチのない部分が禁止領域でない領域（以下、許容領域という）である。図２（ａ）は、吸気温度Tiが所定温度Tthよりも高い場合（以下、通常時という）の禁止領域が設定された運転マップである。通常時は、エンジン１０の負荷Peが所定負荷値Pe0以下の領域が禁止領域として設定される。この所定負荷値Pe0は、禁止領域と許容領域との閾値であり、エンジン１０の負荷Peがこの閾値（所定負荷値Pe0）以下であれば低圧ＥＧＲ制御を禁止すると判定される。通常時の所定負荷値Pe0は、回転数Neにかかわらず一定値であり、例えば高圧ＥＧＲ通路３５のみでは十分な量の排気を吸気通路２１へ還流できなくなる負荷に相当する値に予め設定される。
【００３５】
エンジン１０の負荷Peが小さい場合は、ターボチャージャ２５による過給が行われないため、圧力差を発生させるには低圧スロットル弁２３の開度制御が必要となる。そこで、低負荷運転領域では低圧ＥＧＲ制御を禁止することで、この開度制御を省略することができ、制御構成を簡素化することができる。なお、低負荷運転領域では、低圧ＥＧＲ制御ではなく高圧ＥＧＲ通路３５を通じて排気を還流させることで、過度の排気温度上昇やＮＯｘの排出量を抑制することができる。上記の所定温度Tthは予め設定された温度であり、例えば１atmかつ外気温度Taが0℃の場合の吸気温度である。
【００３６】
一方、図２（ｂ）は、吸気温度Tiが所定温度Tth以下の場合（以下、低温時という）の禁止領域が設定された運転マップである。低温時には、回転数Neが高いほど所定負荷値Pe0が増大するように上記の禁止領域が拡大される。すなわち、低温時の禁止領域は、極低回転域では通常時の禁止領域と略同一であり、回転数Neが高くなるに連れて高負荷側へと拡大される。言い換えると、禁止領域と許容領域との閾値としての所定負荷値Pe0が、高回転側ほど高負荷側に設定される。
【００３７】
低温時の運転マップがこのように設定される理由について説明する。吸気温度Tiが低いときは、通常、外気温度Taも低い。このため、高温で水蒸気を多く含有する低圧還流ガスを含んだ吸気を、インタークーラ２６で外気温度Ta近くまで冷却すると、吸気温度Tiが高い場合と比較してより多くの凝縮水が生成されやすくなる。また、高負荷では、過給圧が高くなることから低圧還流ガスが多く導入されること、及び、充填効率を高めるためにインタークーラ２６における冷却量を増大させることから、低負荷時に比べてより多くの凝縮水が生成されやすくなる。なお、低回転側では低圧還流ガスを使用しないことが多い。このように、低温時では、回転数Neが比較的高く、負荷が高くなるほど凝縮水が生成されやすくなることから、凝縮水の生成を抑制するために上記のように禁止領域が設定される。
【００３８】
さらに、本実施形態の低温時の禁止領域は、吸気温度Tiが所定温度Tthよりも低いほど（所定温度Tthから吸気温度Tiを減算した値が大きいほど）、高負荷側へとさらに拡大される。すなわち、吸気温度Tiが所定温度Tthよりも低いときは、その吸気温度Tiが低いほど、禁止領域と許容領域との閾値（所定負荷値Pe0）の傾き（回転数Neの増加量に対する負荷Peの増加量）が大きくなるように、禁止領域が設定される。なお、禁止領域の設定において、外気温度Taではなく吸気温度Tiを用いることで、大気圧（気象条件）の変化，低圧ＥＧＲ通路３３やＥＧＲクーラ３４等のハード劣化，走行状態によって変化するエンジンルーム内の空気と吸気管壁面を介した吸気との熱のやりとりなど、様々な外乱を含んで制御できるため、制御ロバスト性が向上する。
【００３９】
例えば、吸気温度Tiが所定温度Tthよりもやや低い場合は、破線で示す通常時の禁止領域と許可領域との閾値（所定負荷値Pe0）を、二点鎖線で示す部分まで拡大したものが低温時の禁止領域として設定される。また、吸気温度Tiがこれよりも低い場合は、破線で示す閾値（所定負荷値Pe0）を、一点鎖線で示す部分まで拡大したものが低温時の禁止領域として設定される。吸気温度Tiがこれよりもさらに低い場合は、破線で示す閾値（所定負荷値Pe0）を、実線で示す部分まで拡大したものが低温時の禁止領域として設定される。なお、図２（ｂ）には三つの低温時の禁止領域を重ねて例示しているが、低温時の禁止領域は吸気温度Tiが低下するに連れて徐々に拡大される。
【００４０】
本実施形態の制御装置１には、吸気温度Ti毎に禁止領域が設定された複数の運転マップが予め設けられている。判定部２は、これら複数の運転マップの中から、吸気温センサ３８で検出された吸気温度Tiに応じた運転マップを選択し、吸気温度Tiに応じた適切な禁止領域を取得する。すなわち、判定部２は、吸気温度Tiが所定温度Tthよりも高ければ図２（ａ）に示す運転マップを選択することで、所定負荷値Pe0以下の領域を禁止領域とする。また、判定部２は、吸気温度Tiが所定温度Tth以下であれば、吸気温度Tiに応じて禁止領域が設定された図２（ｂ）に示す運転マップを選択することで、回転数Neが高いほど所定負荷値Pe0が増大するように所定の低負荷運転領域（禁止領域）を拡大する。
【００４１】
そして、判定部２は、エンジン１０の運転状態が禁止領域内か否かを判定する。判定部２は、この第一の禁止判定で低圧ＥＧＲ制御を禁止すると判定した場合は、以下の第二，第三の禁止判定をすることなく、「低圧ＥＧＲ制御を禁止する」という判定結果を制御部３へ伝達する。一方、第一の禁止判定で低圧ＥＧＲ制御を禁止しないと判定した場合は、第二の禁止判定を行う。
【００４２】
第二の禁止判定は、外気温センサ４０で検出された外気温度Taと、検出部３９で検出された凝縮水の貯留量Sとを用いた判定である。本実施形態の判定部２は、予め制御装置１に設定された外気温マップに、外気温度Ta及び貯留量Sを適用して禁止判定を行う。外気温マップには、外気温度Ta及び貯留量Sに応じて低圧ＥＧＲ制御を禁止すべき範囲（禁止範囲）が設定されている。判定部２は、外気温度Ta及び貯留量Sの状態が、外気温マップの禁止範囲内であれば低圧ＥＧＲ制御を禁止する（低圧ＥＧＲ弁２４を全閉とする）と判定し、禁止範囲外であれば低圧ＥＧＲ制御を禁止しないと判定する。
【００４３】
図３は、外気温マップの一例である。このマップは、横軸に外気温度Ta，縦軸に貯留量Sをとったものであり、マップ中にハッチを付けた部分が禁止範囲，ハッチのない部分が禁止範囲でない範囲（以下、許容範囲という）である。図３の外気温マップは、基本的には禁止範囲と許容範囲とが所定の第一外気温度Ta1を境界線として設定されている。具体的には、第一外気温度Ta1よりも高い範囲が許容範囲に設定され、第一外気温度Ta1以下の範囲が一部分を除いて禁止範囲に設定されている。なお、この一部分は許容範囲に設定されている。
【００４４】
第一外気温度Ta1は、凝縮水の凍結や生成量の増大が懸念される0℃付近の温度である。外気温度Taが第一外気温度Ta1以下のときは、凝縮水の凍結や生成量の増大の可能性があるため、基本的には低圧還流ガスの導入を禁止する。ただし、外気温度Taが第一外気温度Ta1以下であっても、ＮＯｘ排出量を抑制して排ガス性能を向上させるという観点から、低圧還流ガスを導入した方が好ましいことがある。
【００４５】
そこで、本実施形態の外気温マップは、第一外気温度Ta1以下の範囲に許容範囲を一部分だけ設けて、貯水量Sが比較的少なく、かつ、凍結の可能性が低い場合に限り、低圧還流ガスの導入を許容している。この一部分は、外気温度Taが第一外気温度Ta1よりも低い第二外気温度Ta2以上かつ第一外気温度Ta1以下であって、貯水量Sが第一判定値De1未満の範囲である（Ta2≦Ta≦Ta1かつS＜De1）。なお、第二外気温度Ta2は第一外気温度Ta1よりもさらに20℃程度低い温度であり、例えばタンク２７Ｂや排出通路２７Ｃの温度が0℃よりも高くなることが確実である温度を想定して設定される。
【００４６】
また、第一判定値De1は、第一外気温度Ta1以下の温度域における禁止範囲と許容範囲との境界線であり、第一外気温度Ta1のときに所定量Saに設定され、第二外気温度Ta2に近いほど小さく設定される。本実施形態の第一判定値De1は、第一外気温度Ta1での所定量Saから直線的に減少し、第二外気温度Ta2のときにゼロになるように設定されている。所定量Saは、タンク２７Ｂのインマニ側出口と貯水面との位置関係（タンク２７Ｂの底面からの水面高さ）を考慮して、例えば最大容量の30％程度の容量に対応する値とされる。なお、第一外気温度Ta1，第二外気温度Ta2，所定量Saの値は一例であって、その具体的な値は、インタークーラ２６の性能や分離装置２７の性能等を考慮して、実験やシミュレーション等により設定される。
【００４７】
したがって、判定部２は、外気温度Taが第二外気温度Ta2以上かつ第一外気温度Ta１以下の場合に、貯留量Sが第一判定値De1以上であれば低圧ＥＧＲ制御を禁止すると判定し、貯留量Sが第一判定値De1未満であれば低圧ＥＧＲ制御を禁止しないと判定する。また、判定部２は、外気温度Taが第二外気温度Ta2よりも低ければ、貯水量Sにかかわらず低圧ＥＧＲ制御を禁止すると判定し、外気温度Taが第一外気温度Ta1よりも高ければ、貯水量Sにかかわらず低圧ＥＧＲ制御を禁止しないと判定する。判定部２は、第二の禁止判定で低圧ＥＧＲ制御を禁止すると判定した場合は、次の第三の禁止判定をすることなく、「低圧ＥＧＲ制御を禁止する」という判定結果を制御部３へ伝達する。一方、第二の禁止判定で低圧ＥＧＲ制御を禁止しないと判定した場合は、第三の禁止判定を行う。
【００４８】
第三の禁止判定は、吸気温センサ３８で検出された吸気温度Tiと、検出部３９で検出された凝縮水の貯留量Sとを用いた判定である。本実施形態の判定部２は、予め制御装置１に設定された吸気温マップに、吸気温度Ti及び貯留量Sを適用して禁止判定を行う。吸気温マップには、吸気温度Ti及び貯留量Sに応じて低圧ＥＧＲ制御を禁止すべき範囲（禁止範囲）が設定されている。判定部２は、吸気温度Ti及び貯留量Sの状態が、吸気温マップの禁止範囲内であれば低圧ＥＧＲ制御を禁止すると判定し、禁止範囲外であれば低圧ＥＧＲ制御を禁止しないと判定する。
【００４９】
図４は、吸気温マップの一例である。このマップは、横軸に吸気温度Ti，縦軸に貯留量Sをとったものであり、マップ中にハッチを付けた部分が禁止範囲，ハッチのない部分が禁止範囲でない範囲（以下、許容範囲という）である。図４の吸気温マップは、禁止範囲と許容範囲とが所定の第二判定値De2を境界線として設定されている。具体的には、第二判定値De2よりも低温側が禁止範囲に設定され、第二判定値De2よりも高温側が許容範囲に設定されている。
【００５０】
第二判定値De2は、第一吸気温度Ti1以上の温度域における禁止範囲と許容範囲との境界線であり、第一吸気温度Ti1のときにゼロに設定され、吸気温度Tiが高いほど大きく設定される。本実施形態の第二判定値De2は、第一吸気温度Ti1での値（すなわちゼロ）から直線的に増加し、上記の第一外気温度Ta1に相当する吸気温度Ti0（以下、所定吸気温度Ti0という）のときに貯留量Sが所定量Siとなるような傾きに設定され、貯留量Sの最大値（タンク２７Ｂの最大容量）まで延びて設定されている。
【００５１】
すなわち、吸気温度Tiが高ければ、貯留量Sが多くても低圧還流ガスの導入を許容し、吸気温度Tiが低いほど、より少ない貯留量Sで低圧還流ガスの導入を禁止する。これは、吸気温度Tiが低いほど飽和水蒸気量が小さいことから、凝縮水が生成されやすくなるためである。なお、第一吸気温度Tiは、上記の所定温度Tthよりも低い温度であり、上記の第二外気温度Ta2よりも高く第一外気温度Ta1よりも低い温度であることが好ましく、例えば-10℃付近の温度である。また、所定量Siは、上記の所定量Saと同様に、例えばタンク２７Ｂの最大容量の30％程度の容量に対応する値とされる。これらの第一吸気温度Ti1，所定吸気温度Ti0，所定量Siの値も一例である。例えば、所定吸気温度Ti0が第一外気温度Ta1と異なる温度であってもよいし、所定量Siが上記の所定量Saと異なる値であってもよい。これらの値は適宜設定される。
【００５２】
なお、吸気温度Tiが第一吸気温度Ti1以上かつ所定吸気温度Ti0以下の温度域については、貯留量Sが第二判定値De2未満の範囲が許容範囲に設定される。これは、図３の外気温マップと同様、ＮＯｘ排出量を抑制して排ガス性能を向上させるという観点から設けられたものである。すなわち、凝縮水の生成量を抑制することよりも排ガス性能の向上を優先させて設定された許容範囲である。
【００５３】
したがって、判定部２は、吸気温度Tiが第一吸気温度Ti1以上の場合に、貯留量Sが第二判定値De2以上であれば低圧ＥＧＲ制御を禁止すると判定する。また、吸気温度Tiが第一吸気温度Ti1よりも低ければ、貯水量Sにかかわらず低圧ＥＧＲ制御を禁止すると判定する。判定部２は、これらの判定をした場合には、「低圧ＥＧＲ制御を禁止する」という判定結果を制御部３へ伝達する。一方、判定部２は、貯留量Sが第二判定値De2未満であれば、低圧ＥＧＲ制御を禁止しないと判定する。この場合、判定部２は、三つの禁止判定の全てにおいて低圧ＥＧＲ制御を禁止しないと判定したことになるため、「低圧ＥＧＲ制御を許可する」という判定結果を出し、これを制御部３へ伝達する。
【００５４】
制御部３は、判定部２における判定結果とエンジン１０の運転状態とに応じて、上記の低圧ＥＧＲ制御を実施するものである。制御部３は、判定部２から「低圧ＥＧＲ制御を禁止する」という判定結果が伝達された場合には、エンジン１０の運転状態にかかわらず低圧ＥＧＲ制御を禁止する。すなわちこの場合は、低圧ＥＧＲ弁２４の開度をゼロ（全閉）に制御するとともに、低圧スロットル弁２３の開度を全開に制御する。
【００５５】
つまり、本実施形態の制御部３は、エンジン１０の運転状態が所定の低負荷運転領域（禁止領域）内であるときに低圧ＥＧＲ弁２４を全閉とする。また、制御部３は、外気温度Taが第一外気温度Ta1以下かつ第二外気温度Ta2以上であって貯留量Sが第一判定値De1以上の場合に、低圧ＥＧＲ弁２４を全閉とし、外気温度Taが第二外気温度Ta2未満の場合にも低圧ＥＧＲ弁２４を全閉とする。さらに、制御部３は、吸気温度Tiが第一吸気温度Ti1未満の場合に低圧ＥＧＲ弁２４を全閉とし、吸気温度Tiが第一吸気温度Ti1以上の場合に貯留量Sが第二判定値De2以上であれば、低圧ＥＧＲ弁２４を全閉とする。
【００５６】
一方、制御部３は、判定部２から「低圧ＥＧＲ制御を許可する」という判定結果が伝達された場合には、エンジン１０の運転状態に基づいて低圧ＥＧＲ制御を実施するか否かを判定する。そして、低圧ＥＧＲ制御を実施すると判定した場合は、低圧ＥＧＲ制御を実施する。すなわちこの場合は、低圧還流ガスを吸気通路２１へ導入すべく、低圧スロットル弁２３及び低圧ＥＧＲ弁２４の各開度を制御する。このように、低圧ＥＧＲ制御の実施判定に先立って禁止判定を行うことにより、効果的に凝縮水の生成が抑制される。
【００５７】
［３．フローチャート］
図５は、上述の禁止判定の手順を例示するフローチャートであり、制御装置１の判定部２において所定の演算周期で繰り返し実行される。
ステップＡ１では、各センサ３７〜４１等で検出された各情報が制御装置１に入力される。ステップＡ２では、吸気温度Tiに応じて運転マップが選択され、続くステップＡ３では、その運転マップを用いて、エンジン１０の運転状態が禁止領域内であるか否かが判定される（第一の禁止判定）。
【００５８】
ステップＡ３で禁止領域内であると判定された場合はステップＡ７へ進み、禁止領域外（許容領域内）であると判定された場合はステップＡ４へ進む。ステップＡ４では、外気温マップに外気温度Ta及び貯水量Sが適用され、禁止範囲内であるか否かが判定される（第二の禁止判定）。ステップＡ４で禁止範囲内であると判定された場合はステップＡ７へ進み、禁止範囲外（許容範囲内）であると判定された場合はステップＡ５へ進む。
【００５９】
ステップＡ５では、吸気温マップに吸気温度Ti及び貯水量Sが適用され、禁止範囲内であるか否かが判定される（第三の禁止判定）。ステップＡ５で禁止範囲内であると判定された場合はステップＡ７へ進み、禁止範囲外（許容範囲内）であると判定された場合はステップＡ６へ進む。ステップＡ６では、「低圧ＥＧＲ制御を許可する」という判定結果が出され、このフローをリターンする。一方、ステップＡ７では、「低圧ＥＧＲ制御を禁止する」という判定結果が出され、このフローをリターンする。
【００６０】
［４．効果］
上述の制御装置１では、低圧ＥＧＲ制御を実施するか否かの判定に先立って、エンジン１０の運転状態が禁止領域（所定の低負荷運転領域）であるか否かの判定を行い、この領域内であれば低圧ＥＧＲ弁２４を全閉とする。さらに、この判定に用いられる禁止領域が、吸気温度Tiに応じて変更される。具体的には、吸気温度Tiが所定温度Tthよりも高ければ所定負荷値Pe0以下の領域を禁止領域とし、吸気温度Tiが所定温度Tth以下であれば、回転数Neが高いほど所定負荷値Pe0が増大するように禁止領域を拡大する。このように設定した禁止領域を用いて判定を行うことで、低圧ＥＧＲ弁２４制御を適切に全閉とすることができ、吸気通路２１へ還流する排気を適切に遮断することができるため、凝縮水の生成を効果的に抑制することができる。
【００６１】
上述の制御装置１では、吸気温度Tiが所定温度Tth以下の場合、吸気温度Tiが低いほど禁止領域を高負荷側へとさらに拡大し、その禁止領域を用いて低圧ＥＧＲ制御の禁止判定を行う。これにより、吸気温度Tiが低く凝縮水が生成されやすい状態において、適切に低圧ＥＧＲ弁２４を全閉とすることができるため、凝縮水の生成をより効果的に抑制することができる。
【００６２】
上述の制御装置１では、第一の禁止判定に加えて、外気温度Ta及び凝縮水の貯留量Sを用いた第二の禁止判定を行う。具体的には、外気温度Taが第二外気温度Ta2以上かつ第一外気温度Ta1以下であって貯水量Sが第一判定値De1以上の場合に低圧ＥＧＲ制御を禁止すると判定されて低圧ＥＧＲ弁２４が全閉とされる。さらに、外気温度Taが第二所定温度Ta2未満の場合にも、低圧ＥＧＲ制御を禁止すると判定されて低圧ＥＧＲ弁２４が全閉とされる。後者の判定によって、凝縮水の生成量の増大や凝縮水の凍結が懸念される環境状態では、低圧ＥＧＲ弁２４が適切に全閉とされるため、凝縮水の生成自体を効果的に抑制することができる。また、前者の判定によって、貯留量Sに余裕がない場合は凝縮水の生成自体を適切に抑制でき、貯留量Sに余裕がある場合は、凝縮水の生成よりもＮＯｘの生成量の抑制を優先させることで、排ガス性能を向上させることができる。
【００６３】
上述の制御装置１では、第一の禁止判定に加えて、吸気温度Ti及び凝縮水の貯留量Sを用いた第三の禁止判定を行う。具体的には、吸気温度Tiが第一吸気温度Ti1未満では低圧ＥＧＲ制御を禁止すると判定されて低圧ＥＧＲ弁２４が全閉とされ、吸気温度Tiが第一吸気温度Ti1以上では、貯留量Sが第二判定値De2以上のときに低圧ＥＧＲ制御を禁止すると判定されて低圧ＥＧＲ弁２４が全閉とされる。このように、吸気温度Tiを加味して禁止判定を行うことで、エンジン１０の運転状態に即して適切に低圧ＥＧＲ弁２４を全閉とすることができ、凝縮水の生成を効果的に抑制することができる。
【００６４】
上述の制御装置１では、判定部２において低圧ＥＧＲ制御を許可すると判定された場合に、エンジン１０の運転状態に応じて低圧ＥＧＲ制御が実施されるため、凝縮水の生成を抑制しながら低圧還流ガスを吸気通路２１へ導入することができる。
【００６５】
［５．その他］
以上、本発明の実施形態を説明したが、本発明は上記の実施形態に限定されるものではなく、本発明の趣旨を逸脱しない範囲で種々変形することが可能である。
上述の運転マップ，外気温マップ，吸気温マップは何れも一例であって、上記のものに限られない。例えば、運転マップが、エンジン１０の回転数Neと負荷Peと吸気温度Tiとをパラメータとした三次元マップとして設けられ、この三次元マップに禁止領域（所定の低負荷運転領域）が設定されていてもよい。また、吸気温度Tiが所定温度Tthよりも高い場合の禁止領域が設定された運転マップと、吸気温度Tiが所定温度Tth以下の場合の禁止領域が設定された運転マップとの二つだけが設定されていてもよい。すなわち、禁止領域が吸気温度Tiの低下に応じて高負荷側にさらに拡大されていなくてもよい。
【００６６】
また、外気温マップは、第一外気温度Ta1以下の温度域が全て禁止範囲に設定されていてもよい。すなわち、上記の外気温マップから第一判定値De1を省略し、外気温度Taが第一外気温度Ta1以下であれば低圧ＥＧＲ制御を禁止すると判定して低圧ＥＧＲ弁２４を全閉とする構成であってもよい。このような構成でも、凝縮水の生成量の増大や凝縮水の凍結が懸念される環境状態では、低圧ＥＧＲ弁２４が適切に全閉とされるため、凝縮水の生成自体を効果的に抑制することができる。
【００６７】
また、吸気温マップが、第一吸気温度Ti1や所定吸気温度Ti0を境界線として、低温側が禁止範囲，高温側が許容範囲に設定されていてもよい。あるいは、吸気温マップが、図３に示す外気温マップのように、所定吸気温度Ti0よりも高い温度域では全て許容範囲に設定され、所定吸気温度Ti0以下の温度域では、第二判定値De2以上が禁止範囲に設定され、第二判定値De2未満が許容範囲に設定されていてもよい。なお、判定部２による判定の順番は上記のものでなくてもよい。また、外気温度Ta，吸気温度Tiを用いた第二，第三の禁止判定の何れか一方又は両方を省略してもよい。また、判定部２による第二，第三の禁止判定を省略し、制御部３が外気温度Ta，吸気温度Tiを用いて低圧ＥＧＲ弁２４を直接制御する構成としてもよい。
【００６８】
上記実施形態では、インマニ１９に設けられた吸気温センサ３８で検出された温度を吸気温度Tiとして用いているが、吸気温度Tiはこれに限られない。例えば、一般的に吸排気系に備えられているセンサ類からの情報に基づいて、還流ガスの混合割合，タービンの効率，吸気輸送過程における受熱等やハード劣化を考慮した物理モデルを作成し、インタークーラ２６の前後の温度を推定して、これを吸気温度Tiの代わりとして用いてもよい。また、上記実施形態では、凝縮水の貯留量Sを検出部３９で検出しているが、これに代えて、あるいはこれに加えて、エンジン１０の稼動時間，回転数Ne，低圧還流ガス量，吸気温度Tiや外気温度Taに応じた飽和水蒸気量等に基づいて貯留量Sを推定する構成を設けてもよい。
【００６９】
上記実施形態では、凝縮水が貯留されるタンク２７Ｂが設けられているが、セパレータ２７Ａ及び排出通路２７Ｃの何れか一方又は両方の内部に凝縮水が貯留されるように構成されていてもよい。つまり、セパレータ２７Ａ，排出通路２７Ｃがそれぞれ凝縮水貯留部として機能するものであってもよい。
なお、エンジン１０の構成は上記のものに限られない。例えば、高圧ＥＧＲ通路３５やターボチャージャ２５等のないエンジンであってもよいし、低圧スロットル弁２３，高圧スロットル弁２８のないエンジンであってもよい。また、ディーゼルエンジンに限られず、ガソリンエンジンであってもよい。
【符号の説明】
【００７０】
１  制御装置
２  判定部
３  制御部
１０  エンジン
２１  吸気通路
２４  低圧ＥＧＲ弁（ＥＧＲ弁）
２６  インタークーラ
２７  分離装置
２７Ａ  セパレータ
２７Ｂ  タンク（凝縮水貯留部）
３１  排気通路
３３  低圧ＥＧＲ通路（ＥＧＲ通路）
Ne  回転数
Pe  負荷
Pe0  所定負荷値
S  貯留量
Ti  吸気温度
Tth  所定温度
Ti1  第一吸気温度
Ta  外気温度
Ta1  第一外気温度
Ta2  第二外気温度
De1  第一判定値
De2  第二判定値
【図１】
0006455243.tif 000002
【図２】
0006455243.tif 000003
【図３】
0006455243.tif 000004
【図４】
0006455243.tif 000005
【図５】
0006455243.tif 000006